(57)【要約】【課題】データの受信者の労力を要することなく受信データを管理する。【解決手段】ＣＰＵ１５が、メール管理プログラム２３に従って、電子メールの送信者により付与された電子メールの消去条件を解釈し、消去条件が満たされた電子メールのデータを自動的にＲＡＭ１４内から削除する。これにより、電子メールの受信者は、自らの手で電子メールを削除することなく、受信した電子メールのデータを管理することができる。【選択図】  図１
2004240813.tif 000002
【特許請求の範囲】
【請求項１】
受信データを記憶するデータ記憶部と、
上記受信データの消去条件を記憶する消去条件記憶部と、
上記消去条件が満たされた受信データが上記データ記憶部内に存在するか否かを判別し、消去条件が満たされた受信データがデータ記憶部内に存在する場合、当該受信データを消去するデータ制御部と
を備える携帯通信端末。
【請求項２】
請求項１に記載の携帯通信端末であって、
上記受信データは電子メールのデータであり、上記消去条件は電子メールの送信側により電子メールに付与されること
を特徴とする携帯通信端末。
【請求項３】
請求項１に記載の携帯通信端末であって、
上記消去条件は場所と時間の少なくとも一方により指定されること
を特徴とする携帯通信端末。
【請求項４】
請求項１に記載の携帯通信端末であって、
送信するデータに当該データの受信先における消去条件を付与するデータ編集部を備えること
を特徴とする携帯通信端末。
【請求項５】
請求項１に記載の携帯通信端末であって、
上記消去条件記憶部内に記憶された消去条件は書き換え可能であること
を特徴とする携帯通信端末。
【請求項６】
受信データ及び当該受信データの消去条件を記憶する処理と、
上記消去条件が満たされた受信データが存在するか否かを判別する処理と、
上記消去条件が満たされた受信データが存在する場合、当該受信データを消去する処理と
をコンピュータに実行させるデータ管理プログラム。
【請求項７】
送信するデータに当該データの受信先における消去条件を付与する処理と、
上記消去条件が付与された上記データを上記受信先に送信する処理と
をコンピュータに実行させるデータ管理プログラム。
【発明の詳細な説明】
【０００１】
【発明の属する技術分野】
本発明は、不要な受信メールを削除することにより受信メールを管理する処理に適用して好適な、携帯通信端末及びデータ管理プログラムに関する。
【０００２】
【従来の技術】
携帯電話機やＰＤＡ（Ｐｅｒｓｏｎａｌ  Ｄｉｇｉｔａｌ  Ａｓｓｉｓｔａｎｔ）等、電子メールの受信機能を備えた携帯通信端末は、利用可能なメモリ容量に限りがあることから、広告メール、クーポンメール、出会い系サイトからのメール等、無差別、且つ、大量に送信される電子メールを受信することによって、メモリ内に保存しておいた重要な電子メールのデータ（以下、メールデータと略記する）が消去されてしまうことがある。このため、電子メールの受信者は、重要なメールデータが消去されてしまわないように、不要なメールデータを自身の手でメモリから頻繁に消去したり、自身のメールアドレスを頻繁に変更したりして、受信した電子メールを自らの手により管理している（例えば、特許文献１，２を参照）。
【特許文献１】
特開平１０−２９３７３４号公報
【特許文献２】
特開２００１−４３１６８号公報
【０００３】
【発明が解決しようとする課題】
しかしながら、メモリデータを自らの手で消去する方法によれば、消去動作が面倒である上に、携帯通信端末を置き忘れた時等、電子メールの受信者が携帯通信端末を長時間操作できない時には、不要なメールデータを消去することができない。また、自身のメールアドレスを変更する方法によれば、メールアドレスを変更するための手続が面倒である上に、他のユーザは変更後のメールアドレスが通知されるまでそのユーザに対し電子メールを送信することができなくなるために、他のユーザにとっても非常に不便である。
【０００４】
本発明は、上記課題を解決するためになされたものであり、その目的は、データの受信者の労力を要することなく、受信データを管理することが可能な携帯通信端末及びデータ管理プログラムを提供することにある。
【０００５】
【課題を解決するための手段】
本発明の特徴は、消去条件が満たされた受信データが存在するか否かを判別し、消去条件が満たされた受信データが存在する場合、その受信データを消去することにある。このような本発明の構成によれば、データの受信者の労力を要することなく、受信データを容易に管理することができる。
【０００６】
【発明の実施の形態】
本発明は、例えば図１に示すような携帯電話機に適用することができる。以下、図面を参照して、本発明の一実施形態となる携帯電話機の構成及び動作について詳しく説明する。
【０００７】
［携帯電話機の概観］
本発明の一実施形態となる携帯電話機１は、図１に示すように、主な構成要素として、表示部２と、操作入力部３と、受話口４と、送話口５とを備える。
【０００８】
上記表示部２は、ＬＣＤ（Ｌｉｑｕｉｄ  Ｃｒｙｓｔａｌ  Ｄｉｓｐｌａｙ）やＥＬ（ＥｌｅｃｔｒｏＬｕｍｉｎｅｓｃｅｎｃｅ）パネル等の表示装置により構成され、後述するＣＰＵ１５（図２を参照）の制御に従って、文字や数字、記号、アイコン、カーソル、画像、動画像等を可視表示する。
【０００９】
上記操作入力部３は、例えば「０」から「９」までの数字の入力、文字の入力、記号の入力、発信や受信の指示入力、電源のオン／オフの指示入力等の操作に使用する複数のキーボタン６を有する。また、この操作入力部３は、表示部２上に表示されたカーソルの移動操作や画面のスクロール操作等の操作に使用するダイアル（ジョグダイアル）７を有する。
【００１０】
上記受話口４及び送話口５はそれぞれ、後述するスピーカ１７及びマイクロフォン１６（図２を参照）に接続し、携帯電話機１のユーザが通話相手先と音声通話を行う際に使用される。
【００１１】
［携帯電話機の内部構成及びその基本動作］
次に、図２を参照して、上記携帯電話機１の内部構成について説明する。なお、図２に示す表示部２及び操作入力部３の構成は図１に示すそれと同じであるので、以下ではその説明を省略する。
【００１２】
上記携帯電話機１は、図２に示すように、音声処理部１１、アンテナ１２、ＲＯＭ１３、ＲＡＭ１４、ＣＰＵ１５、マイクロフォン１６、スピーカ１７、メール処理部１８、時刻管理部１９、及びＧＰＳ部２０を主な内部構成要素として備え、これら内部構成要素は、データライン２１及び制御ライン２２を介して互いに電気的に接続されている。
【００１３】
上記音声処理部１１は、図１に示す送話口５を介してマイクロフォン１６に入力されたユーザの音声データをアナログ／デジタル変換した後、符号化処理及び変調処理を施すことによりデジタルデータを高周波データに変換する。そして、音声処理部１１は、アンテナ１２を介して高周波データを指定された送信先に送信する。
【００１４】
また、上記音声処理部１１は、アンテナ１２が受信した高周波データを取り込み、取り込んだ高周波データに対し復調処理及び復号処理を施す。そして、音声処理部１１は、復号された音声データをデジタル／アナログ変換した後、スピーカ１７からアナログ形態の音声データを放音する。
【００１５】
上記ＲＯＭ（Ｒｅａｄ  Ｏｎｌｙ  Ｍｅｍｏｒｙ）１３は、ＣＰＵ１５が各部を制御するための制御プログラム（図示せず）や、後述するＣＰＵ１５及びメール処理部１８の動作を実現するメール管理プログラム２３等の各種コンピュータプログラムと、各種の初期設定値、フォントデータ、アドレス帳データ、着発信履歴データを記憶する。なお、このＲＯＭ１３は、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）のような書き換え可能なＲＯＭであってもよい。
【００１６】
上記ＲＡＭ（Ｒａｎｄｏｍ  Ａｃｃｅｓｓ  Ｍｅｍｏｒｙ）１４は、ＣＰＵ１５が各種処理を行う際のワーキングエリアとして機能する。また、ＲＡＭ１４は、受信した電子メールのデータ（以下、メールデータと表記する）や、受信した電子メールの消去条件が記載された管理テーブル２４（詳しくは後述する）等、ＣＰＵ１５が実行する処理と関係する各種データを随時格納する。
【００１７】
上記ＣＰＵ（Ｃｅｎｔｒａｌ  Ｐｒｏｃｅｓｓｉｎｇ  Ｕｎｉｔ）１５は、ＲＯＭ１３内に格納されているコンピュータプログラムを実行することにより、プログラムコードに従って携帯電話機内の各部の動作を制御すると共に、各種の演算処理を行う。
【００１８】
上記マイクロフォン１６は、図１に示す送話口５を介してユーザが発話した音声データを電気信号に変換し、音声処理部１１に出力する。また、上記スピーカ１７は、音声処理部１１から出力された音声データを音声出力する。
【００１９】
上記メール処理部１８は、ＣＰＵ１５から出力される制御信号に従って、電子メールの編集及び閲覧処理，後述するメールデータ管理処理等、電子メールの送受信処理に係わる各種処理を実現する。また、上記時刻管理部１９は、ＣＰＵ１５から出力される制御信号に従って、現在時刻の情報（以下、時刻データと表記する）を取得する。
【００２０】
上記ＧＰＳ（Ｇｌｏｂａｌ  Ｐｏｓｉｔｉｏｎｉｎｇ  Ｓｙｓｔｅｍ）部２０は、ＧＰＳ電波受信機能を備え、ＣＰＵ１５から出力される制御信号に従って、ＧＰＳ電波を利用して携帯電話機１が所在する位置の例えば経度（ｘ）、緯度（ｙ）、高さ（ｚ）等に関する情報（以下、位置データと表記する）を取得する。なお、ＧＰＳ受信機能は、主として、ＧＰＳ電波を受信するＧＰＳ電波受信アンテナ、受信したＧＰＳ電波を復調するＧＰＳ無線部、及び復調されたＧＰＳ電波から現在地の緯度経度情報を演算により求め、出力するＧＰＳ制御部とにより構成される。このＧＰＳ電波受信機能は、ＧＰＳ衛星が送信している高精度の時間信号が含まれたＧＰＳ電波を、現在信号を受信可能な周回軌道上に存在する少なくとも３台のＧＰＳ衛星から受信し、各ＧＰＳ衛星からのＧＰＳ電波の到達時間からＧＰＳ衛星までの距離を各々演算し、各距離が一致する点を自身の現在位置とするものである。
【００２１】
上記データライン２１は、テキストデータ、画像データ、音声データ等の種々の形態のデータを伝送する信号線である。また、上記制御ライン２２は、操作入力部３、音声処理部１１、ＣＰＵ１５等から出力される制御信号を伝送する信号線である。
【００２２】
［メールデータ管理処理］
上記携帯電話機１は、送信する電子メール毎に、受信先における電子メールの消去条件を付与することができる（以下、消去条件付与処理と表記する）。また、上記携帯電話機１は、受信した電子メールに付与された消去条件を解釈し、消去条件に従ってメールデータを自動的に削除することができる（以下、消去処理と表記する）。但し、携帯電話機１のユーザの手による電子メールの消去操作は、上記消去処理よりも優先されることとする。
【００２３】
以下、上記消去条件付与処理及び消去処理を実行する際の携帯電話機１内部の動作について詳しく説明する。
【００２４】
〔消去条件付与処理〕
始めに、図３に示すフローチャートを参照して、上記消去条件付与処理を実行する際の携帯電話機１内部の動作について説明する。
【００２５】
図３に示すフローチャートは、ユーザが電子メールの本文の作成を完了するのに応じて開始となり、メール処理部１８が、メール管理プログラム２３に従って動作するＣＰＵ１５から出力される制御信号に従って、以下に示す消去条件付与処理を実行する。
【００２６】
ステップＳ１の処理では、メール処理部１８が、作成した電子メールに消去条件を付与するか否かをユーザに選択させるための、例えば図４に示すような選択画面を表示部２に出力する。これにより、このステップＳ１の処理は完了し、この消去条件付与処理はステップＳ１の処理からステップＳ２の処理に進む。
【００２７】
ステップＳ２の処理では、メール処理部１８が、ユーザが操作入力部３を操作して作成した電子メールに消去条件を付与することを指示したか否かを判別する。そして、判別の結果、ユーザが、操作入力部３を操作して選択画面内の「いいえ」を選択することにより、電子メールに消去条件を付与することを指示しなかった場合には、メール処理部１８は、一連の消去条件付与処理を終了し、指定された送信先に電子メールを送信する。
【００２８】
一方、ユーザが、操作入力部３を操作して選択画面内の「はい」を選択することにより、電子メールに消去条件を付与することを指示した場合には、メール処理部１８は、消去条件付与処理をステップＳ２の処理からステップＳ３の処理に進める。
【００２９】
ステップＳ３の処理では、メール処理部１８が、「○年○月○日を過ぎたら消去」、「待ち合わせ時間（○時○分）の○分後に消去」等、電子メールの消去条件を日時により指定する（時間条件）ための時間条件指定画面を表示部２に出力する。そして、表示された時間条件指定画面を参照してユーザが時間条件を指定するのに応じて、メール処理部１８は、指定された時間条件を制御コードとして電子メールのヘッダ部分に付与する。このような時間条件を電子メールに付与することにより、電子メールの受信側端末は、時間条件の制御コードを参照して、待ち合わせの時刻を連絡するメールや期間限定のクーポンメール等、所定時間が経過した後には不要となる電子メールを時間条件に従って自動的に消去することができる。これにより、このステップＳ３の処理は完了し、この消去条件付与処理はステップＳ３の処理からステップＳ４の処理に進む。
【００３０】
ステップＳ４の処理では、メール処理部１８が、「北緯○○東経○○を訪れたら消去」、「待ち合わせ場所の位置に着いたら消去」等、電子メールの消去条件を携帯電話機１の位置により指定する（場所条件）ための場所条件指定画面を表示部２に出力する。そして、表示された場所条件指定画面を参照してユーザが場所条件を指定するのに応じて、メール処理部１８は、指定された場所条件を制御コードとして電子メールのヘッダ部分に付与する。このような場所条件を電子メールに付与することにより、電子メールの受信側端末は、時間条件の制御コードを参照して、待ち合わせ場所を連絡するメール等、目的を達成した後には不要となる電子メールを場所条件に従って自動的に削除することができる。なお、この実施形態では、消去条件として時間条件と場所条件の二つを指定したが、時間条件と場所条件のどちらか一方のみを用いて消去条件を指定してもよい。これにより、このステップＳ４の処理は完了し、一連の消去条件付与処理は終了する。そして以後、メール処理部１８は、指定された送信先に消去条件の制御コードが付与された電子メールを送信する。
【００３１】
一方、上記携帯電話機１においては、上記のようにして消去条件が付与された電子メールを受信した場合、ＣＰＵ１５が、メール管理プログラム２３に従って、電子メールのヘッダ部分を参照して電子メールに付与されている消去条件の制御コードを解釈し、受信した電子メール固有の識別情報（メールＩＤ）と電子メールに付与されている消去条件とを対応付けさせて図５に示すような管理テーブル２４としてＲＡＭ１４内に記憶する。そして、ＣＰＵ１５は、管理テーブル２４に記載された消去条件に従って、以下に示す消去処理を実行する。
【００３２】
なお、上記実施形態では、電子メールの送信者が電子メールに消去条件を付与したが、ＲＡＭ１４内に記憶されている管理テーブル２４の内容を編集可能にすることにより、電子メールの受信者側が、受信した電子メールに消去条件を付与したり、付与されている消去条件の内容を変更したりしてもよい。
【００３３】
〔メールデータの消去処理〕
次に、図６に示すフローチャートを参照して、消去処理を実行する際の携帯電話機１内部の動作について説明する。
【００３４】
図６に示すフローチャートは、携帯電話機１の電源がオン状態になるのに応じて開始となり、ＣＰＵ１５は以下に示す消去処理を実行する。なお、以下に示すＣＰＵ１５の動作は、携帯電話機１の電源がオン状態になるのに応じてＲＯＭ１３からＲＡＭ１４内にロードされたメール管理プログラム２３を、ＣＰＵ１５が実行することにより実現される。
【００３５】
ステップＳ１１の処理では、ＣＰＵ１５が、所定時間経過するまで待機し、所定時間経過するのに応じて消去処理をステップＳ１２の処理に進める。
【００３６】
ステップＳ１２の処理では、ＣＰＵ１５が、時刻管理部１９を制御して時刻データを取得する。これにより、このステップＳ１２の処理は完了し、この消去処理はステップＳ１２の処理からステップＳ１３の処理に進む。
【００３７】
ステップＳ１３の処理では、ＣＰＵ１５が、ＧＰＳ部２０を制御して位置データを取得する。これにより、このステップＳ１３の処理は完了し、この消去処理はステップＳ１３の処理からステップＳ１４の処理に進む。
【００３８】
ステップＳ１４の処理では、ＣＰＵ１５が、管理テーブル２４に記録されている消去条件と、取得した時刻データ及び位置データとを比較することにより、消去条件が満たされた電子データがあるか否かを判別する。
【００３９】
具体的には、消去条件が「○年○月○日を過ぎたら消去」と指定されている場合には、ＣＰＵ１５は、取得した時刻データを参照して、現在の日時が○年○月○日を過ぎているか否かを判別する。また、消去条件が「待ち合わせ時間（○時○分）の○分後に消去」と指定されている場合には、ＣＰＵ１５は、取得した時刻データを参照して、現在の日時が待ち合わせ時間（○時○分）の○分以後であるか否かを判別する。また、消去条件が「北緯○○東経○○を訪れたら消去」と指定されている場合には、ＣＰＵ１５は、取得した位置データを参照して、携帯電話機１の位置が北緯○○東経○○にあるか否かを判別する。また、消去条件が「待ち合わせ場所の位置に着いたら消去」と指定されている場合には、ＣＰＵ１５は、例えば場所名とその位置データを関連付けして記憶するデータベースサーバに問い合わせる等して待ち合わせ場所の位置データを取得した後、携帯電話機１と待ち合わせ場所の位置データを比較することにより、携帯電話機１の位置が待ち合わせ場所の位置にあるか否かを判別する。
【００４０】
そして、判別の結果、消去条件が満たされた電子メールがない場合は、ＣＰＵ１５は、この消去処理をステップＳ１４の処理からステップＳ１１の処理に戻す。一方、消去条件が満たされた電子メールがある場合には、ＣＰＵ１５は、この消去処理をステップＳ１４の処理からステップＳ１５の処理に進める。
【００４１】
ステップＳ１５の処理では、ＣＰＵ１５が、消去条件が満たされた全ての電子メールのデータを消去する。これにより、このステップＳ１５の処理は完了し、この消去処理はステップＳ１５の処理からステップＳ１６の処理に進む。
【００４２】
ステップＳ１６の処理では、ＣＰＵ１５が、管理テーブル２４の中から削除した電子メールの情報を削除することにより、管理テーブル２４の内容を最新の情報に更新する。これにより、このステップＳ１６の処理は完了し、この消去処理はステップＳ１６の処理からステップＳ１１の処理に戻る。
【００４３】
［実施の形態の効果］
以上の説明から明らかなように、本発明の一実施形態となる携帯電話機１によれば、ＣＰＵ１５が、メール管理プログラム２３に従って、電子メールの送信者により付与された電子メールの消去条件を解釈し、消去条件が満たされた電子メールのデータをＲＡＭ１４内から自動的に削除するので、電子メールの受信者の労力を要することなく、受信した電子メールのデータを管理することができる。
【００４４】
［その他の実施形態］
以上、本発明者らによってなされた発明を適用した実施の形態について説明したが、この実施の形態による本発明の開示の一部をなす論述及び図面により本発明は限定されることはない。
【００４５】
例えば、上記実施形態では、携帯電話機１内に蓄積される電子メールを管理する処理に本発明を適用したが、画像データや音声データ等の電子メール以外のデータを管理する処理に適用してもよい。また、本発明は、携帯電話機間で送受信されるデータの管理に限らず、例えば、サーバ装置が携帯電話機に配信するデータの管理にも適用することができる。
【００４６】
すなわち、この実施の形態に基づいて当業者等によりなされる他の実施の形態、実施例及び運用技術等は全て本発明の範疇に含まれることは勿論であることを付け加えておく。
【００４７】
【発明の効果】
本発明によれば、データの受信者の労力を要することなく受信データを管理することができる。
【図面の簡単な説明】
【図１】本発明の一実施形態となる携帯電話機の構成を示す模式図である。
【図２】図１に示す携帯電話機の内部構成を示すブロック図である。
【図３】本発明の一実施形態となる消去条件付与処理の流れを示すフローチャート図である。
【図４】本発明の一実施形態となる選択画面を示す模式図である。
【図５】図２に示す管理テーブルの構成を示す模式図である。
【図６】本発明の一実施形態となる電子メールの消去処理の流れを示すフローチャート図である。
【符号の説明】
１…携帯電話機、２…表示部、３…操作入力部、４…受話口、５…送話口、６…キーボタン、７…ダイアル（ジョグダイアル）、１１…音声処理部、１２…アンテナ、１３…ＲＯＭ、１４…ＲＡＭ、１５…ＣＰＵ、１６…マイクロフォン、１７…スピーカ、１８…メール処理部、１９…時刻管理部、２０…ＧＰＳ部、２１…データライン、２２…制御ライン、２３…メール管理プログラム、２４…管理テーブル
【図１】
2004240813.tif 000003
【図２】
2004240813.tif 000004
【図３】
2004240813.tif 000005
【図４】
2004240813.tif 000006
【図５】
2004240813.tif 000007
【図６】
2004240813.tif 000008